Podtech/llm-jp-corpus-v4-ja_patent huggingface dataset:
(57)【要約】      （修正有）【課題】取手部をつかんで手前に引っ張ると便座の保持が解除され、衛生的にフタだけを開閉することができるフタと便座の開閉具を提供する。【解決手段】開閉具は、取り付け部２を設け、フタ１６に固定するための固定材３をつけた取り付け基部１に取手部５と便座保持部６とストッパー部７とガイド部８を設けた可動部４を付けたものから構成される。取り付け部にカバー９を取り付け、取り付け部とストッパー部とガイド部からなる空間１０に取手部を元の位置に戻すバネ１１を設ける。【選択図】図６
0003222283.tif 000002
【実用新案登録請求の範囲】
【請求項１】
取り付け部を設け、固定材をつけた取り付け基部に取手部と便座保持部とストッパー部とガイド部を設けた可動部を付けたものからなる便器のフタに取り付けるフタと便座の開閉具。
【考案の詳細な説明】
【技術分野】
【０００１】  本考案は、便器のフタと便座に関するものである。
【背景技術】
【０００２】  従来、電動で便器のフタと便座の開閉するもの以外は、手で便器のフタと便座の開閉をしていた。
【考案の開示】
【考案が解決しようとする課題】
【０００３】  従来は次のような欠点があった。
手で便器のフタと便座の開閉をすることは衛生的な感じではなかった。
本考案は、上記の欠点を除くためになされたものである。
【課題を解決するための手段】
【０００４】取り付け部を設け、固定材をつけた取り付け基部に取手部と便座保持部とストッパー部とガイド部を設けた可動部を付ける。
本考案は、以上のような構成により問題点を解決している。
【考案の効果】
【０００５】  取手部をつかんで手前に引っ張ると便座の保持が解除され、フタだけを開閉することができ、手で直接フタを触れないので衛生的である。
取手部をつかんで開けると便座を保持して開閉するので、手で直接フタと便座を触れないので衛生的である。
【考案を実施するための最良の形態】
【０００６】  以下、本考案の実施例について説明する。
取り付け部２を設け、固定材３をつけた取り付け基部１に取手部５と便座保持部６とストッパー部７とガイド部８を設けた可動部４を付けたものから構成される。
実施例では取り付け部２にカバー９を取り付ける。
実施例では取り付け部２とストッパー部７とガイド部８からなる空間１０にバネ１１を設ける。
実施例ではカバー９は螺子１２で固定している。
実施例では図９と図１０において便座保持部６に可動軸１４を設け、衛生カバー１３を設けている。
取り付け基部１はフタ１６に取り付けるための基部である。
取り付け基部１には取り付け部２と固定材３を設ける。
取り付け基部１は固定材３により、フタ１６に固定される。
取り付け部２は取り付けるためのものであるがカバー９を取り付けることができる。
取り付け部２はバネ１１を設けたとき、バネ止めする部分も兼ねている。
固定材３は固定材である。
固定材３は両面テープや接着剤や粘着剤などでもよい。
可動部４は可動するためのものである。
可動部４には取手部５と便座保持部６とストッパー部７とガイド部８を設けている。
可動部４はカバー取り付け部２とガイド部８により、前後に動く。
可動部４にはストッパー部７があり、バネ１１を設けたとき、バネ１１を押す部分でもある。
取手部５は手で掴むところである。
取手部５は手で掴んで手前に引いてもバネ１１を設けたとき、バネ１１により引く力を緩めると元の位置に戻る。
便座保持部６は便座１７を保持するためのものである。
通常、便座保持部６は便座１７を保持した状態であるため、そのままでは便座１７ごと開いてしまうが、フタ１６だけを開けようとするときは取手部５を手前に引き、便座１７から便座保持部６が外れてから、少し持ち上げて取手部５を戻してフタ１６を開ける。
ストッパー部７はカバー９とバネ１１がないとき、可動部４がそれ以上行かないように止めるためのものである。
ストッパー部７は取り付け部２とストッパー部７とガイド部８からなる空間１０にバネ１１を設けたとき、バネ１１を押すところである。
ガイド部８はストッパー部７をガイドして前後に動く。
カバー９は取り付け部２とストッパー部７とガイド部８やバネ１１をカバーするためのものである。
カバー９はバネ１１が飛び出ないようにカバーするためのものである。
カバー９は取り付け部２に取り付ける。
空間１０はストッパー部７が動く空間であるが、バネ１１を設けることができる。
バネ１１はコイルバネであるが他の種類のバネでもよい。
螺子１２はカバー９を取り付け部２に固定するためのものである。
実施例ではカバー９を取り付け部２に固定するために螺子１２としているが、カバー９にピンを設けて嵌め込みした固定や接着や融着などの固定でもよい。
衛生カバー１３は便器１８のフタ１６を開けると便座保持部６の可動軸１４により、衛生カバー１３が可動して便座保持部６を衛生的にカバーする。
衛生カバー１３は便座保持部６が便器１８に接触することもあるため、便器１８のフタ１６を開け、便座１７に座った時、背中に便座保持部６がくるので、背中に便座保持部６が触れる恐れがあり、衛生的でないため、触れないように衛生的にカバーするためのものである。
衛生カバー１３の大きさは便座保持部６に触れないようにカバーする大きさである。
可動軸１４は衛生カバー１３を可動させるものである。
形状、位置、素材、大きさをいろいろにすることで、多種多様にすることができる。
【図面の簡単な説明】
【０００７】
【図１】本考案の斜視図である。
【図２】本考案の取り付けた斜視図である。
【図３】本考案の断面の側面図である。
【図４】本考案の取手部を引っ張った状態の断面の側面図である。
【図５】本考案のフタを開けている途中の断面の側面図である。
【図６】本考案のフタと便座を開けている途中の断面の側面図である。
【図７】本考案のフタを開けた状態の省略した側面図である。
【図８】本考案のフタと便座を開けた状態の省略した側面図である。
【図９】本考案の便座保持部に衛生カバーを設け、フタを開けている途中の側面図である。
【図１０】本考案の便座保持部に衛生カバーを設け、フタを開けた状態の側面図である。    各図の各部において主要部以外は省略している。
各図の各部において波線以外の部分は省略している。
【符号の説明】
【０００８】１    取り付け基部
２    取り付け部
３    固定材
４    可動部
５    取手部
６    便座保持部
７    ストッパー部
８    ガイド部
９    カバー
１０  空間
１１  バネ
１２  螺子
１３  衛生カバー
１４  可動部
１５  フタと便座の開閉具
１６  フタ
１７  便座
１８  便器
【図１】
0003222283.tif 000003
【図２】
0003222283.tif 000004
【図３】
0003222283.tif 000005
【図４】
0003222283.tif 000006
【図５】
0003222283.tif 000007
【図６】
0003222283.tif 000008
【図７】
0003222283.tif 000009
【図８】
0003222283.tif 000010
【図９】
0003222283.tif 000011
【図１０】
0003222283.tif 000012
(57)【要約】      （修正有） 【課題】冬期寒冷地域の氷雪路歩行は滑り転倒事故を防止し、誰でも容易に短時間に装着でき簡易構造のシューズ用滑り止め補助具を提供する。【解決手段】ナイロン又はポリエステル繊維網状の突起物の靴下型ネットであって、靴下型ネットの桝目の一辺を１０ｍｍ程度とし、縦横の結び目を重ね結びで突起物を形成し、前記靴下型ネットの下部周囲に施した。【選択図】図１
0003222077.tif 000002
【実用新案登録請求の範囲】
【請求項１】
シューズにスッポリは履き重ねる為、柔軟でコンパクトに畳める構造で常に携帯できる滑り止め鉄鋲を使用しないナイロン又はポリエステル繊維網状の微少突起形状による滑り防止効果のシューズ用ネット式滑り止め補助装置。
【考案の詳細な説明】
【技術分野】
【０００１】
冬期寒冷地域の氷雪道路で通勤等使用しているシューズにスッポリ履くネット式滑り止め補助装置の氷雪路歩行を安全にする考案である。
【背景技術】
【０００２】
寒冷地域の人達は氷雪道路の通勤歩行は気象状況によっては気温、風力、地形構造により刻々氷雪路は発生します。したがって氷雪路に適応するめ装置の必要があります。特に高齢者の思わぬ転倒事故を防止するできるネット式滑り止め補助装置。氷雪路の通勤歩行安全を提案するものである。
【特許文献１】実願1994−3005875
【０００３】
シューズに装着し底部にスパイク装置を付けたカバー
【考案の概要】
【考案が解決しようとする課題】
【０００４】
考案が解決しようとする課題は氷雪路に不慣れで体力の低下した高齢者や女性たちが氷雪路で思わぬスリップ転倒事故を防ぎ  当、靴下型ネット式滑り止め補助装置。履いているシューズに上からスッポリ靴下を重ね履くような構造がワンタッチで装着脱着できコンパクト軽量なので常時携行でき冬期間氷雪路の歩行が安全にできる。
【課題を解決するための手段】
【０００５】
本考案は、今履いているシューズの上から足首までスッポリ履ける（1）ポリエステル繊維網状の靴下型ネットには（2）底部下部全体には多数の桝目と相まって形成され各々繋がった結び目の突起部位がスベリ防止効果を発生。靴下型ネットの側面部は装脱着し易い様に縦に２分割されており結合には（3）両面テープ、またはファスナーで接合されている構造。履いているシューズから本体が弛んだり脱落防止用（４）バンドが靴下型ネットの上部に設置されている。軽量コンパクト構造は嵩張らず常時携行により緊急時は随時、氷雪路に合わした装脱着がタイムリーにできる。    
【考案の効果】
【０００６】
１．氷雪路での歩行中の滑りを防ぎ転倒の危険を防止できる。
２．簡易構造軽量コンパクトに形成されて冬期間は外出時常時携行ワンッタチで装着することで緊急対応できる。
３．本品サイズは長靴用、短靴用、婦人靴用の３種類のサイズをシリーズ化は概ね市販シューズ対応できることで経済的である。
４．防滑装置で鉄鋲は使用していないので建物内堅い床面の通行歩行でも異音も派生しない。建物内の床面を傷つけない。
【図面の簡単な説明】
【０００７】
【図１】本考案は冬期氷雪路を滑らないよう安全に歩行できる滑り止め補助装置である。
【考案を実施するための最良の形態】
【０００８】
履いてるシューズにそのままスッポリ履ける柔軟な靴下型のナイロン製網    の結び目が靴底部下面に広がるような構造が利滑り止め効果が発生する。
【実施例】
【０００９】
シューズの上から脱着自在に履けるポリエスタル繊維靴下型網ネット形状は底部下部全体には多数の桝目と相まって形成され各々繋がった結び目が微少突起形状部位がスベリ防止効果を発生す。靴下型ネットの側面部は装脱着し易い様に縦に２分割されており接合には（3）両面テープ、またはファスナーで接合されている構造。履いているシューズから本体が外れたり弛まない様に足首上端あたりを（４）離脱防止用バンドで接合固定されている。
これによりシューズ底部全面には網の結び目の微少突起形状が均等に広がり、歩行時の滑り止めの機能を発生する。    
【産業上の利用可能性】
【００１０】
・  氷雪用シューズを使用保有している寒冷地域は限定的少数派。氷雪用滑り止め商品は多品種あり購入時的選別するには至難。
・  本アイテムは安価で既に保有しているシューズに簡単に装着でき、ワンタッチで装着でき取付は確実安全で高齢者のQ＆Lに繋がり冬期屋外活動のメリットを促進する
・  冬期ウオーキング、スポーツ愛好家など等氷雪路でも安心して屋外行動ができる
【符号の説明】
【００１１】
１．ポリエステル繊維網状の靴下型本体
２．靴底部全面の結び目が微少突起部位が防滑性を発生
３．２分割された靴側面を一体化接合するための両面テープ又はファスナー
４．靴と本体が離脱や弛まない様取り押さえバンド
【図１】
0003222077.tif 000003
【手続補正書】
【提出日】平成31年4月23日(2019.4.23)
【手続補正１】
【補正対象書類名】実用新案登録請求の範囲
【補正対象項目名】全文
【補正方法】変更
【補正の内容】
【実用新案登録請求の範囲】
【請求項１】
ナイロン又はポリエステル繊維網状の突起物の靴下型ネットであって、靴下型ネットの桝目の一辺を１０ｍｍ程度とし、縦横の結び目を重ね結びで突起物を形成し、前記靴下型ネットの下部周囲に施したことを特徴とするシューズ用滑り止め補助具である。
(57)【要約】      （修正有）【課題】ボール盤は穴あけ加工、フライス盤は横移動加工に特化した工具で一方の工具で両方の加工も可能ではあるが、使い勝手に問題があり、これを解決する相互に素早く変換できるボール盤フライス盤変換具を提供する。【解決手段】金属フラットバー１の片方の先を片刃にし、全体の中央にボルト用の通し穴を設け、もう一方のフラットバー２の片側を３ｃｍ曲げて中央に木材などの台への固定用のビス穴３を設け、立ち上がり部分に長穴４を設けて金属フラットバーと合わせてボルト５を通して、２枚のフラットバーの片方を可動式として任意の長さで固定できるように形成し、片刃をボール盤の下げレバー８と連動する回転軸９に取り付けた平歯車６の逆転を止め用の爪とする。エンドミルの上下装置を固定して、ボール盤により容易にフライス加工ができる。【選択図】図１
0003222085.tif 000002
【実用新案登録請求の範囲】
【請求項１】
２枚の金属フラットバーの片方の先を片刃にし、全体の中央にボルト用の通し穴を設け、もう一方のフラットバーの片側を３ｃｍ曲げて中央に木材などの台への固定用のビス穴を設け、立ち上がり部分に長穴を設けて片方のフラットバーと合わせてボルトを通して、２枚のフラットバーの片方を可動式として任意の長さで固定できるように形成したもの。
【考案の詳細な説明】
【技術分野】
【０００１】本考案はボール盤に設置して即座にフライス盤に転換できる器具に関する。
【背景技術】
【０００２】従来、ボール盤は穴あけ加工、フライス盤は横移動加工に特化した工具で一方の工具で両方の加工も可能ではあるが、迅速、正確、容易という点では問題があった。
【先行技術文献】
【０００３】ｈｔｔｐ：／ｗｗｗ．ｅｎｓｈｕ−ｋｏ．ｃｏ．ｊｐ／    ボール盤
ｈｔｔｐｓ：／／ａｇｒｉｐｉｃｋ．ｃｏｍ／１０７７    フライス盤
【考案の概要】
【考案が解決しようとする課題】
【０００４】ボール盤で横移動加工するにはクロステーブルを使用するが、右手で被削材を送り、左手にてボール盤のハンドルでエンドミルを下げることになる。【０００５】しかしエンドミルの位置を一定に保つのは容易ではない。【０００６】フライス盤で穴あけ加工するには、ねじ回し方式でエンドミルを上下させるので、ボール盤でレバーを一気に押し下げるのに比べると実用性に問題がある。
【課題を解決するための手段】
【０００７】ボール盤の下げレバーに連動する回転軸に延長パイプを取り付け、それに歯数が１００前後の歯の細かい平歯車を取り付ける。【０００８】その平歯車の逆転を止める爪歯車の爪に相当する部分を幅２センチ程度の金属フラットバーで形成する。【０００９】フラットバーの片方を片刃状に切削し、切削した部分を上に向けて先端から２ｃｍ程度のところで歯車の方向に曲げて爪とする。【００１０】爪が歯車の中心よりやや上の歯にかかる位置で、フラットバーを固定する。【００１１】ボール盤を木材の板に固定し、その板にフラットバーを曲げて、緩められる構造で固定する形態とする。【００１２】その状態でボール盤のレバーを下げると、爪歯車とその爪の一体動作と同じ動きとなる。【００１３】直径５ｃｍ、歯数１００の歯車で、１歯あたり約０．３ｍｍの下げ幅となり、ＤＩＹでは十分な精度である。【００１４】ボール盤の構造上、留め加工にはやや不向きな面はあるが、面取り加工や抜き加工には全く問題はない。【００１５】ボール盤として使用するには、フラットバーの固定ネジを緩めて爪を外して下へずらせばよい。
【考案の効果】
【００１６】これによりボール盤、フライス盤相互の素早い変換が可能となる。【００１７】電動カンナあるいは専用面取り器に適さない寸法の小さい被削材の面取りには特に有効である。
【図面の簡単な説明】
【００１８】
【図１】当考案品をボール盤に設置した斜視図。
【考案を実施するための形態】
【００１９】以下、本考案の実施の形態を図に基づいて説明する。
【実施例１】
【００２０】使用するボール盤を任意の木材板に載せて固定する。【００２１】ボール盤の下げレバー８に連動して回転する回転軸９にパイプを通して平歯車６を固定する。【００２２】平歯車６の歯に可動金属フラットバー１の先端が掛かかる位置で、これを留めボルト５をもって固定用金属フラットバー２に固定する。【００２３】固定用金属フラットバー２をビス穴３で木材板に固定する。【００２４】平歯車６の歯に可動金属フラットバー１の先端を掛ける位置は、平歯車６の円の中心と同程度の高さとする。
【産業上の利用可能性】
【００２５】本考案はクロスバイス、クロステーブル製造する産業で利用される。
【符号の説明】
【００２６】１  可動金属フラットバー
２  固定用金属フラットバー
３  固定用金属フラットバーを固定するビス穴
４  可動金属フラットバーが上下する長穴
５  可動金属フラットバーを固定するボルト
６  平歯車
７  ボール盤
８  ボール盤の押し下げレバー
９  押し下げレバーに連動するボール盤の回転軸
【図１】
0003222085.tif 000003
【手続補正書】
【提出日】平成31年4月15日(2019.4.15)
【手続補正１】
【補正対象書類名】実用新案登録請求の範囲
【補正対象項目名】全文
【補正方法】変更
【補正の内容】
【実用新案登録請求の範囲】
【請求項１】
２枚の金属フラットバーの片方の先を片刃にし、全体の中央にボルト用の通し穴を設け、もう一方のフラットバーの片側を３ｃｍ曲げて中央に木材などの台への固定用のビス穴を設け、立ち上がり部分に長穴を設けて片方のフラットバーと合わせてボルトを通して、２枚のフラットバーの片方を可動式として任意の長さで固定できるように形成したことを特徴とするボール盤フライス盤変換具。
(57)【要約】      （修正有）【課題】河川の河床、海岸施設の基礎部の被覆、海底洗堀防止に使用する平型の根固め工ブロックを提供する。【解決手段】平型根固めブロックを設置したときに護岸勾配と平行、又は、護岸勾配形状面に概ね平行な傾斜面の構造を備えている。【選択図】図２
0003222083.tif 000002
【実用新案登録請求の範囲】
【請求項１】
護岸勾配と平行、又は、護岸勾配形状面に合った傾斜面を備えることを特徴とした平型根固めブロックである。
【考案の詳細な説明】
【技術分野】
【０００１】  本考案は、河川の河床、海岸施設の基礎部の被覆、海底洗堀防止に使用する平型の根固め工ブロックに関するものである。
【背景技術】
【０００２】  平型根固めブロックは、河川などの河床安定を図るため、設置するもので、主に必要とされる要素は、流下、散乱を避けるための重量確保が主なほか、現場製作が容易にできる形状であること、流速の低減形状、平面形状における連結配列状態、ブロックの製作時の作業効率向上形状、経済性等々を重視した形状が主流であった。このため、護岸と接する側面形状が護岸勾配面と平行、又は、護岸勾配に合った形状ではなく、護岸と接する側面がほぼ垂直と成っていいたため、平型根固めブロックが設置された状態では、護岸と根固めブロックの間に隙間が大きく開く状態となり、その開いたところに流水が集中、根固めブロック設置面の河床部が異常洗堀され、被災の原因にもなる場合が生じていた。
【先行技術文献】
【０００３】
【特許文献１】特開平７−２６８８３７
【０００４】
【非特許文献１】実開平６−８４２５
【考案の概要】
【考案が解決しようとする課題】
【０００５】  従来の平型根固めブロックは、河川などの河床に設置された状態では、護岸と平型根固めブロック天端での間に隙間が大きく開く状態となるため、その開いたところに流水が集中、河床部が洗堀され被災の原因になる場合が生じていたことから流水の集中を抑制するため、護岸と根固めブロックとの間の隙間を最小限にし、根固めブロック接地面での洗掘影響を減少させることができる平型根固めブロック形状を検討し、課題を解決することである。
【課題を解決するための手段】
【０００６】    以下、この考案のいくつかの設置例、断面例、状態例を図面に基づき説明していく。【０００７】  本考案は、前記課題を達成するために図−１に示す「従来の平型根固めブロックの平面及び側面状態例図」の様に従来平型根固めブロック１は、根固めブロック平面形状２、護岸側側面形状３、側面形状４、Ａ−Ａ断面形状５の形状を有するものとなっていた。【０００８】  また、図−１に示す「従来の平型根固めブロックの設置状態断面例図」及び「拡大断面例図」の様に根固めブロック設置状態では、従来平型根固めブロック１と護岸工９の護岸勾配６により根固めブロック天端面１１において、護岸勾配形状面１５との間に隙間７が大きく開いた状態となって、その隙間７に流水が集中し、洗掘防止面８に影響を与えていた。【０００９】  根固めブロック天端面１１での隙間７が大きく開いた状態を解消するため、図−２に示す「考案の平型根固めブロックの平面及び側面状態例図」の様に考案平型根固めブロック１０、考案護岸側側面形状１２，考案側面形状１３、傾斜面１３Ａ、Ｂ−Ｂ断面形状１４、を備えた構造の平型根固めブロックとする。【０００１０】  図−２に示す「考案平型根固めブロックの設置状態断面例図」及び「拡大断面例図」の様に根固めブロック設置状態で、従来平型根固めブロック１と護岸工９の護岸勾配６により根固めブロック天端面１１において、護岸勾配形状面１５との間の隙間７を面的に最小限に減少させるための護岸勾配形状面１５に合った傾斜面１３Ａを備えた平型根固めブロックとする。【０００１１】  前項記載の平型根固めブロックを製作するための型枠組み立て時に図−２に示す「考案平型根固めブロックの設置状態断面例図」及び「拡大断面例図」の様に護岸勾配面６と平行、又は、護岸勾配形状面１５に合った傾斜面１３Ａを備えた型枠を設置、製作することで、根固めブロック天端面１１において、発生する隙間７を面的に最小限に抑え、河床への影響を抑制、減少させることが出来る平型根固めブロックを提供することが出来る。
【考案の効果】
【０００１２】  平型根固めブロックは、河川などの河床安定を図るため、設置するもので、主に必要とされる要素は、流下、散乱を避けるための重量確保が主なほか、現場製作が容易にできる形状であること、流速の低減形状、平面形状における連結配列状態、ブロックの製作時の作業効率向上形状、経済性等々を重視した形状が主流であった。このため、護岸と接する側面形状が護岸勾配と平行、又は、護岸勾配に合った形状ではなく、護岸と接する側面がほぼ垂直と成っていいたため、平型根固めブロックが設置された状態では、護岸と根固めブロックの間に隙間が大きく開く状態となり、その開いたところに流水が集中、根固めブロック設置面の河床部が異常洗堀され、被災の原因にもなる場合が生じていたが、平型根固めブロックの護岸に接する側の面を護岸勾配に合わせるか、又は、護岸勾配形状面とあった傾斜面を備えた平型根固めブロックを配置、設置することで平型根固めブロックと護岸工との隙間を面的に最小限に抑え、河床への影響を抑制、減少することができる平型根固めブロックの提供を行うもの。
【図面の簡単な説明】
【００１３】
【図１】従来の平型根固めブロックの平面及び側面状態例図  従来の平型根固めブロックの設置状態断面例図、拡大断面例図
【図２】考案の平型根固めブロックの平面及び側面状態例図  考案の平型根固めブロックの設置状態断面例図、拡大断面例図
【符号の説明】
【００１４】  １：従来平型根固めブロック
２：平型根固めブロック平面形状
３：護岸側側面形状
４：側面形状
５：Ａ−Ａ断面形状
６：護岸勾配
７：隙間
８：洗掘防止面
９：護岸工
１０：考案平型根固めブロック
１１：根固めブロック天端面
１２：考案護岸側側面形状
１３：考案側面形状
１３Ａ：傾斜面
１４：Ｂ−Ｂ断面形状
１５：護岸勾配形状面
【図１】
0003222083.tif 000003
【図２】
0003222083.tif 000004
【手続補正書】
【提出日】平成31年4月16日(2019.4.16)
【手続補正１】
【補正対象書類名】実用新案登録請求の範囲
【補正対象項目名】全文
【補正方法】変更
【補正の内容】
【実用新案登録請求の範囲】
【請求項１】
平型根固めブロックを設置したときに護岸勾配と平行、又は、護岸勾配形状面に概ね平行な傾斜面の構造を備えていることを特徴とする平型根固めブロック。
(57)【要約】      （修正有）【課題】アナログ電話による詐欺を防止するために、携帯電話やＩＰ電話からの発信者に映像を発信させ、アナログ電話の受信者が受信した映像を確認出来るモニタ装置を提供する。【解決手段】アナログ電話回線のモジュラーロゼットとアナログ電話機の間に設置するモニタ装置であって、受信した映像を、モデムでデジタルに変換し、デコーダで復元し、モニタで確認する。メモリを設け、いつでも再確認できるようにする。【選択図】図２
0003222050.tif 000002
【実用新案登録請求の範囲】
【請求項１】
アナログ電話回線のモジュラーロゼットと電話機の間に設置して、携帯電話やIP電話を使う発信者に発信させたアナログ回線でも送れる映像を、確認スイッチを押すと受信し、モデムでデジタルに変換して、デコーダで復元し、発信者を確認するための、モニタ装置。
【考案の詳細な説明】
【技術分野】
【０００１】
本考案は、アナログ電話を使う受信者が、電話による詐欺に遭わないように、発信者の映像を確認出来るようにするための、モニタ装置である。
【背景技術】
【０００２】
受信者が、携帯電話やIP電話なら発信者の映像を受信することが出来るが、アナログ電話の場合は、アナログ電話回線用のテレビ電話が高価で使い難く、発信者の映像を受信することは困難である。
【先行技術文献】
【非特許文献】
【０００３】
【非特許文献１】公衆電話網用テレビ電話  日立評論  VOL.77 No.9(1995 9)
【考案の概要】
【考案が解決しようとする課題】
【０００４】
電話を使った詐欺被害が後を絶たない。受信者にとって音声通信だけでは、発信者がどのような人間かを判断するのは難しい。詐欺の電話を掛けるのに、料金が安い携帯電話やIP電話が多く使われている。受信者が、携帯電話やIP電話を使っていれば発信者の顔を確認出来る可能性があるが、アナログ電話の場合は、発信者の顔を確認することはなかなか難しい。アナログ電話を使い続ける人はまだまだいる。多くのアナログ電話の場合は、被害を防止する手段がそもそも限られている。電話に出なかったり送信者の声を録音するのが望ましいとされるが、それもなかなか困難で、詐欺を防止したり抑止したりする効果は、今一つである。詐欺の電話を掛けさせないためには、携帯電話やIP電話を使う発信者に、アナログ回線でも送れる映像を発信させ、アナログ電話の受信者が、発信者の顔を確認することが出来る様にするのが、課題である。
【課題を解決するための手段】
【０００５】
アナログ回線用テレビ電話は、高価で使い難い。双方向のテレビ電話ではなく、安価で高齢者にも使いやすい、電話の見張り番ともいえる、発信者の顔を映したパケット通信を見ることが出来る、モニタ装置が必要である。今使っているアナログ電話の、電話番号も電話機も変えることなく、モジュラーロゼットと電話機の間にモニタ装置を追加して設置し、電話を受信したら送信者に映像の送信を依頼し、送信したと言われたら通話中に確認ボタンを押して映像を確認し、映像が送れないと言われたら電話を切るのが、電話による詐欺を防止するための、手段である。
【考案の効果】
【０００６】
送信者に映像の送信を依頼することが、詐欺の抑止力となる。送ったと言われたら確認ボタンを押せば相手の顔が確認できるので、詐欺を防止することが出来る。防止できなかった場合でも、確認と同時に録画するので、詐欺事件の捜査では犯人捜しに効果を発揮し、裁判では有罪確定の証拠となる。
【図面の簡単な説明】
【０００７】
【図１】各種電話網の概略図と、本考案の接続図である。
【図２】本考案の、モニタ装置の、ブロック構成である。
【図３】モニタ装置の、正面図である。
【考案を実施するための形態】
【０００８】
今使っているアナログ電話機のケーブルを、電話機から外し、モニタ装置につなぐ。新たなケーブルで、モニタ装置と電話機をつなぐ。モニタ装置を操作しない時は、今まで通りのアナログ電話として使うことが出来る。
【実施例１】
【０００９】
相手の顔を確認したい時は、確認ボタンを押すと電話機への音声通信が中断され、受信した映像通信がモデムでデジタルに変換され、符号化された映像が映像デコーダーで復元されて、モニタに映る。
【００１０】
確認が終わったら、終了ボタンを押すと映像通信は途切れて、電話機に音声通信が流れる。
【００１１】
通話終了後、映像を再確認したい時は履歴ボタンを押すとメモリからモニタに映像が流れ、終了ボタンを押すと映像は消える。
【符号の説明】
【００１２】
１    モニタ装置
２    モニタ部
３    確認スイッチ
４    終了スイッチ
５    履歴スイッチ
【図１】
0003222050.tif 000003
【図２】
0003222050.tif 000004
【図３】
0003222050.tif 000005
(57)【要約】      （修正有）【課題】挽き曲げ工法によって形成された曲げ部の空隙に着色した漆を充填して、空隙内への異物の侵入を阻止し、美観を高めながら強度を高めることができる木工製品を提供する。【解決手段】木工製品は、木材板が挽き曲げ工法によって曲げられた曲げ部２を有し、曲げ部に形成された複数の空隙２ａに着色した漆からなる接着材３を充填する。【選択図】図２
0003222099.tif 000002
【実用新案登録請求の範囲】
【請求項１】
木材板を挽き曲げ工法によって曲げられた曲げ部を有する木工製品であって、
前記曲げ部に形成された複数の空隙に着色した漆からなる接着材を充填した木工製品。
【請求項２】
前記空隙に充填された漆は、米糊に顔料や染料等の着色材が混合され、前記曲げ部の表面に露出させた請求項１に記載の木工製品。
【考案の詳細な説明】
【技術分野】
【０００１】  本考案は、挽き曲げにより曲げ部が形成された木工製品に関し、詳しくは、曲げ部の形成される空隙を漆により着色した木工製品に関する。
【背景技術】
【０００２】  従来から多用されているお盆、弁当箱、折り箱等の木工製品は、一部を折り曲げる場合に、挽き曲げ工法が用いられている。この挽き曲げ工法は、特公平７−１０８５３２号公報（特許文献１）に開示されているように、細長い木の板材の片面に、厚みの一部をつなぎ部として残して幅方向の切り目を入れた後に、この切り目を折り曲げることにより、折り箱などの木工製品を製造していた。
【先行技術文献】
【特許文献】
【０００３】
【特許文献１】特公平７−１０８５３２号公報
【考案の開示】
【考案が解決しようとする課題】
【０００４】  折り曲げる場合に用いられる挽き曲げ工法は、木の板材の片面に鋸によって所定幅の切り目を入れた後に曲げることから、曲げた部分に略三角形の空隙が生じ、弁当箱、折り箱或いはお盆等の端面に露出している。このため、水や油等の液体が空隙内に侵入することがあり、衛生的に問題を生じることがある。また、端面に空隙が露出しているため、美観を損なうことから、比較的高級な木工製品には使用できない問題もあった。さらに、曲げた部分は、板材の厚みの一部のみがつながっているため、強度が低くなる問題もあった。【０００５】  本考案の課題は、挽き曲げ工法によって形成された曲げ部の空隙を着色した漆を充填して、空隙内への異物の侵入を阻止し、美観を高めながら強度を高めることができる木工製品を提供することにある。
【課題を解決するための手段】
【０００６】  上記課題を解決するため、本考案による木工製品は、木材板を挽き曲げ工法によって曲げられた曲げ部を有する木工製品であって、前記曲げ部に形成された複数の空隙に着色した漆からなる接着材を充填したことを要旨としている。【０００７】  また、空隙に充填された漆は、米糊に顔料や染料等の着色材が混合され、曲げ部の表面に露出させるようにしている。
【考案の効果】
【０００８】  本考案の木工製品によれば、曲げ部に形成された複数の空隙に着色した漆からなる接着材を充填しているので、水や油等の液体が空隙内に侵入することによる衛生的に問題を解消することができる。また、着色した漆が端面の空隙を塞ぐので、漆が美観を高めることから、比較的高級な木工製品に使用することが可能となる。さらに、空隙に漆からなる接着材が充填されるので、強度が高められ、木工製品の耐久性を増すことができる。【０００９】  また、空隙に充填された漆には、米糊に顔料や染料等の着色材を混合することにより、木工製品に適合した色彩にすることが可能となる。また、空隙に露出した漆が木工製品のデザインとなって、美観を高めることができる。
【図面の簡単な説明】
【００１０】
【図１】本考案による木工製品の実施例を示す斜視図である。
【図２】図１に示す木工製品の曲げ部を示す平面図である。
【図３】木工製品要部を示す拡大斜視図である。
【図４】（Ａ）（Ｂ）（Ｃ）は、挽き曲げ工法を示す工程図である。
【図５】（Ａ）（Ｂ）は、漆を充填する工程を示す説明図である。
【考案を実施するための最良の形態】
【００１１】  本考案による木工製品は、木材板を挽き曲げ工法によって曲げられた曲げ部は、複数の空隙が形成され、この空隙には、着色した漆からなる接着材が充填されている。【００１２】  以下、図面に基づいて本考案の好適な実施例について説明する。図１に示す木工製品は一例として木製の盆１を示している。盆１は、例えば、檜、杉等の曲げ加工が可能な木材から形成され、略四角形の縁部１ａと平板状の底部１ｂによって形成されている。縁部１ａは、細長い板状の木材を四角形に折り曲げて形成され、端部１ｃを接着によって接合されている。【００１３】  四角形の縁部１ａには、角が挽き曲げ工法によって曲げられた曲げ部２が４個所形成されている。曲げ部２は、図２、図３に示すように、複数の空隙２ａが形成されていて、この空隙２ａ内には、各々着色した漆からなる接着材３が充填されている。空隙２ａに充填された接着材３は、縁部１ａの表面に露出されている。接着材３は、接着性を有する漆に顔料あるいは染料が添加され、盆１の色合いや意匠に応じて任意の色彩にしている。【００１４】  次に、縁部１ａの形成工程について、図４により説明する。曲げ加工が可能な檜、杉等の木材５は、所定の幅の帯板に形成され、図４（Ａ）に示すように、曲げ部２を形成する位置に、木材５の一方面側から刃幅が１ｍｍ〜１．５ｍｍの鋸で複数本の切り込み５ａを入れる。切り込み５ａは、一方面側が開口し、他方面側がつながっている。その後、この切り込み５ａの開口側から、図５（Ａ）に示すように、漆を用いた接着材３をヘラ、ブラシ、指先等で充填する。その後、図４（Ｂ）に示す矢示のように、折り曲げることにより、曲げ部２が形成される。曲げ部２は、図４（Ｃ）に示すように、切り込み５ａの開口側が接合して略三角形の空隙２ａが生じ、この空隙２ａ内に漆を用いた接着材３が充填される。なお、接着材３は、図５（Ｂ）に示すように、曲げ部２を形成した後に、空隙２ａに注入することにより充填しても良い。空隙２ａ内に接着材３を充填した後に、養生、乾燥後に余分な基材を除去し、外観を整える。【００１５】  接着材３は、米糊と木粉と生漆をほぼ等量ずつ配合したものに、若干量の顔料あるいは染料を添加して、十分に煉り合せている。接着材３混合する顔料などの色は、木工製品の意匠により任意に選択する。なお、漆本来の色を生かす場合は、着色しなくても良い。【００１６】  以上、本考案を実施例に基づき具体的に説明したが、本考案は上記実施例に限定されるものではなく、その要旨を逸脱しない範囲で種々変形可能であることは言うまでもない。上述した木工製品の実施例として木製の盆を例示したが、弁当箱や折り箱等の食器、あるいは、椅子やテーブル等の家具に適用しても良い。
【符号の説明】
【００１７】１  盆（木工製品）
２  曲げ部
２ａ空隙
３  接着材
【図１】
0003222099.tif 000003
【図２】
0003222099.tif 000004
【図３】
0003222099.tif 000005
【図４】
0003222099.tif 000006
【図５】
0003222099.tif 000007
(57)【要約】      （修正有）【課題】軽く叩くことで音を鳴らすこともできる花立てを提供する。【解決手段】上部が開口し、りん棒等で叩くと音が鳴るりん部１３とりん部の内側に設けた花差し部１４とを有する。【選択図】図１
0003222021.tif 000002
【実用新案登録請求の範囲】
【請求項１】
上部が開口したりん部と前記りん部の内側に設けた花差し部とを有することを特徴とする花立て。
【請求項２】
前記花差し部は前記りん部の内側に着脱可能になっていることを特徴とする請求項１記載の花立て。
【請求項３】
前記りん部は内側底部に挿入凹部を有し、前記花差し部の下部を前記挿入凹部に挿入載置してあることを特徴とする請求項１又は２記載の花立て。
【請求項４】
前記花差し部は上下が開口した筒状であることを特徴とする請求項１〜３のいずれかに記載の花立て。
【請求項５】
前記りん部は底部から立設した支柱部の上部側に設けてあることを特徴とする請求項１〜４のいずれかに記載の花立て。
【考案の詳細な説明】
【技術分野】
【０００１】
本考案は、軽く叩くと音が鳴る花立てに関する。
【背景技術】
【０００２】
仏壇の仏具として花立てが用いられ、墓に花を供えるのにも花立てが用いられている。
例えば仏壇を飾る場合には、宗派によっていろいろ異なるものの、香炉，ロウソク立て，花立て等が用いられる。
また、仏壇でお参りする際や法事の際に、りん棒で叩いて音を鳴らすおりんが使用されている。
さらには、室内空間を飾るのにも花立てが用いられている。
【０００３】
例えば特許文献１には、仏壇やお墓の花立てに挿入して飾ることもできる保護カバー付の飾り花器を開示するが、保護カバーを有する点で取扱いがかえって大変であり、花立て以外の嬉しさにも欠ける。
【先行技術文献】
【特許文献】
【０００４】
【特許文献１】特開２０１４−１６１７１９号公報
【考案の開示】
【考案が解決しようとする課題】
【０００５】
本考案は、音を鳴らすこともできる花立ての提供を目的とする。
【課題を解決するための手段】
【０００６】
本考案に係る花立ては、上部が開口したりん部と前記りん部の内側に設けた花差し部とを有することを特徴とする。
りん部は、りん棒等で叩くと音が鳴る部分であり、花差し部は花等の植物の茎の部分を差し込み立てるためのものをいう。
この場合に、花差し部は前記りん部の内側に着脱可能になっていてもよく、さらにりん部は内側底部に挿入凹部を有し、前記花差し部の下部を前記挿入凹部に挿入載置してあってもよい。
このように、花差し部をりん部から簡単に取り外すことができると、りん部の内側の清掃が容易であり、花差し部の洗浄等も容易になる。
【０００７】
本考案において、花差し部は上下が開口した筒状であってもよい。
このようにすると、りん部に水を注ぐだけで、花差し部にも水が供給される。
【０００８】
本考案において、りん部の構造に制限はない。
例えば、お椀状のりん部でもよいが、りん部は底部から立設した支柱部の上部側に設けてあってもよい。
【考案の効果】
【０００９】
本考案に係る花立ては、花差し部を用いて花を飾ったり、取り替えるのが容易であるとともに、りん部を軽く叩くことで余韻の長い共鳴音が鳴り、室内空間における楽しみが広がる。
また、仏具の花立てとして使用すると、おりんと花立てが一体化され、少ないスペースで済む。
【図面の簡単な説明】
【００１０】
【図１】本考案に係る花立ての構造例を示し、（ａ）は断面図、（ｂ）は外観図を示す。
【図２】本考案に係る花立ての斜視図を示し、（ａ）は花差し部を取り外した状態、（ｂ）は花差し部をりん部の内側に挿入載置した状態を示す。
【図３】本考案に係る花立ての断面図を示し、（ａ）は花差し部を取り外した状態、（ｂ）は花差し部をりん部の内側に装着した状態を示す。
【図４】りん部の内側に水を注入した状態を（ａ）に示し、（ｂ）はその部分拡大図を示す。
【考案を実施するための最良の形態】
【００１１】
本考案に係る花立ての例を以下、図に基づいて説明する。
図１（ａ）は、花１を花立てに差して飾った状態の断面図を示し、（ｂ）はその外観図を示す。
本実施例は、起立させるために座部１１の上に支柱部１２を立設し、支柱部１２の上部側に上部が開口したりん部１３を形成した例になっている。
このりん部は、仏具としてのおりんとしても使用できる。
その場合には、りん棒２を用いて叩くこともできる。
【００１２】
本考案は、このりん部１３の内側に花差し部１４を設けて、花立てにした点に特徴がある。
花差し部１４は、図２，３に示すように筒状体からなる。
花差し部１４は、花を立てることができるものあればよく、この筒状体に限定されない。
本実施例では、図３に示すように筒状部１４ａの上部１４ｃ，下部１４ｂがともに開口していて、下部１４ｂをりん部１３の内側底部に設けた挿入凹部１５に挿入する構造になっている。
挿入凹部１５は、平坦な底部１５ａと断面円形状の挿入側壁部１５ｂとからなり、図４に示すように挿入側壁部１５ｂと、花差し部１４の下部１４ｂの外周部との間に、僅かなクリアランスｄを設けてある。
これにより、花差し部１４をりん部１３の挿入凹部１５に挿入載置したり、取り外しが容易になるとともに、この隙間から水が浸入するので、りん部１３の内側に水を注入するだけで花差し部１４の内側にも水が供給される。
また、図１に示すように、りん棒２にてりん部１３を叩いた際に、花１や花差し部１４により振動が抑えられるのが小さくなり、おりんのように鳴り響く。
【００１３】
本考案において、りん部１３及び花差し部１４の材質に制限はないが、音の音色を楽しむ点では黄銅合金等の金属製が好ましい。
【符号の説明】
【００１４】
１        花
２        りん棒
１１      座部
１２      支柱部
１３      りん部
１４      花差し部
１５      挿入部
【図１】
0003222021.tif 000003
【図２】
0003222021.tif 000004
【図３】
0003222021.tif 000005
【図４】
0003222021.tif 000006
(57)【要約】      （修正有）【課題】障害者等の入浴を補助する入浴補助器具を提供する。【解決の手段】浴槽１の縁２と浴槽１の外部４に雌ねじを埋め込み、浴槽１の縁２にうめ込んだ雌ねじ３にベルト７の巻き取り器６を取り付ける。ベルト巻き取り器６よりベルト７を繰り出し、ベルト７の先をベルト留め具８に係支させ、浴槽に入る時はベルトに座りベルト巻き取り器よりベルトを繰り出せば浴槽内に浸かる事が出来る。【選択図】図２
0003222727.tif 000002
【実用新案登録請求の範囲】
【請求項１】
浴槽の縁と浴槽の外部に雌ねじを埋め込むんだ入浴補助器具。
【請求項２】
浴槽の縁に埋め込んだ雌ねじにベルト巻き取り器を取り付け、ベルトの先を浴槽の外部に埋め込んだ雌ねじに取り付けたベルト留め具に係支させた入浴補助器具。
【考案の詳細な説明】
【技術分野】
【０００１】本考案は、障害者等の入浴を補助する器具である。
【背景技術】
【０００２】従来障害者を家庭の風呂に入浴させるのは大変であり、一人で入浴する事が出来ずその為シャワーで洗うことが多かったが、風呂の中に入りたいとの希望は有るが一人では無理であったが此の器具を使えば無理なく入浴する事が出来る。
【考案の開示】
【考案が解決しようとする課題】
【０００３】従来の浴槽では高齢者や体の不自由な人が湯船に一人で浸かる事は危険であったが、かといって一人住まいでは湯船に入りたくても入れない。
【課題を解決するための手段】
【０００４】家庭用の浴槽の片側にベルト巻き取り器を取り付けベルトを伸ばし、浴槽の外部の下方に雌ねじを埋め込んだ雌ねじにベルト留め具を取り付け、ベルト巻き取り器よりベルトを延ばしベルトの先をベルト留め具に係止させ、浴槽上に平らになったベルトに座り向きを変えベルト巻き取り器よりベルトを繰り出すと、体が浴槽内に入り温まる事が出来、ベルト巻き取り器にてベルトを巻き取ると体が浴槽内から浮き上がり外に出る事が出来る。
だがこれとても補佐する人が要るが、体を支えるだけで良いから体力はあまり要らない。
【考案の効果】
【０００５】本考案は、上記のように体の不自由な人が入浴するには介助してくれる人が必要ですが、体の重い大人を入浴させるには、本考案の器具を浴槽の縁に取り付けるとに入浴させるのが楽になる。
【考案を実施するための最良の形態】
【０００６】浴槽の縁にベルトの巻き取り器を取り付け、浴槽の外部にベルトの係止具を取り付け、ベルトの先をのばしベルトの係止具に止め、浴槽上に平らなったベルトに座り入浴者が向きを変え、足を湯につけながらベルト巻き取り器よりベルトを繰り出すと体が湯に浸かるため介助者の負担が軽減される。
【実施例】
【０００７】図１の浴槽１の縁２に雌ねじ３を埋め込み、浴槽１の外部４に雌ねじ５を埋め込む。
図２の浴槽１の縁２に埋め込んだ雌ねじ３にベルト巻き取り器６を取り付け、ベルト巻き取り器６よりベルト７を繰り出し、浴槽１の外部に埋め込んだ雌ねじ５に、ベルト留め具８を取り付けベルト７の先をベルト留め具８に係止させ、入浴者はベルト７に座り向きを変え足を湯に付けながらベルト巻き取器６からベルト７を繰り出すと体がさがり湯に浸かることが出来る。又湯から上がる時は湯に浸かった体はベルト巻き取器６にてベルト７を巻くと湯に浸かった入浴者が持ち上がり湯から出る事ができる。
【図面の簡単な説明】
【図１】  浴槽に器具取り付ける埋め込み雌ねじを取り付けた図
【図２】  ベルト巻き取器を浴槽の埋め込み雌ねじに取り付けた図１        浴槽
２        浴槽の縁
３        浴槽の縁に埋め込んだ雌ねじ
４        浴槽の外部
５        浴槽の外部に埋め込んだ雌ねじ
６        ベルト巻き取り器
７        ベルト
８        ベルト留め具
【図１】
0003222727.tif 000003
【図２】
0003222727.tif 000004
(57)【要約】      （修正有）【課題】ピンを挿した状態での練習が出来るパターマットを提供する。【解決手段】スロープ台の穴の中にピン着脱用のピン挿し込み穴を設ける。【選択図】図１
0003222713.tif 000002
【実用新案登録請求の範囲】
【請求項１】
ゴルフ練習用のパターマットのスロープ台の穴の中にピン着脱用のピン挿し込み穴を設けたことを特徴とするパターマット。
【考案の詳細な説明】
【技術分野】
【０００１】本考案は、ゴルフパター練習時のパターマットに関するものである。
【背景技術】
【０００２】２０１９年１月１日のルールの改正によりピンを挿した状態でのパターが可能となった。従来のゴルフ練習用パターマットは穴があいたままの状態であるが、このマットはピンを挿した状態でも練習が可能である。
【先行技術文献】
【０００３】
【特許文献】
【特許文献】実開昭５９−１３７７６５  実開昭５９−１４５９６０  実開平０３−０１５５６２  実開平０２−１０４０７９
【考案の概要】
【考案が解決しようとする課題】
【０００４】ピンを立てた状態で練習できる。又ピンを外せば従来通り穴だけの状態でも練習可能である。
【課題を解決しようと手段】
【０００５】スロープ台の穴の中にピンを挿し込む為の穴を設けその穴にピンを挿し込む。
【考案の効果】
【０００６】（１）請求項１により、
このマットを使用すれば、ピン有り、ピン無しの状態での練習が可能である。
【図面の簡単な説明】
【０００７】
【図１】本考案のパターマットの斜視図ある。
【図２】本考案のパターマットにピンを挿した状態の斜視図である。
【図３】本考案のパターマットのピン抜き時の断面の側面拡大図である。
【図４】本考案のパターマットの、ピン挿し入れ時の断面の側面拡大図である。
【図５】本考案のパターマットの平面拡大図である。
【図６】従来のパターマットの斜視図である。
【図７】従来のパターマットの側面断面拡大図である。
【図８】従来のパターマットの平面図ある。
【考案を実施するための形態】
【０００８】以下本考案を実施例として掲げた図面に基づいて説明する。図６、７、８は従来のパターマットである。従来のマットではホール穴にピンを差し込んだ状態では練習できなかったが、２０１９年のゴルフルール改正によりピンを立ててのパターが可能になったが、従来のマットではピンを立てた状態での練習が出来ない。図１このパターマットの図面である。この考案により図１、３に示すようにスロープ台の穴にピン立て用の穴を設け図２、４の様にピンを立てての練習が出来る様にするものである。又ピンを立ててない状態での練習も可能である。スロープ台部は合成樹脂を使用し、ホール穴、ピン立て用穴は成型により造る。マット本体には人工芝を使用する。
【符号の説明】１スロープ台    ２マット本体    ３ホール穴    ４ピン立て穴    ５ピン
１１スロープ台    １２マット本体    １３ホール穴
【図１】
0003222713.tif 000003
【図２】
0003222713.tif 000004
【図３】
0003222713.tif 000005
【図４】
0003222713.tif 000006
【図５】
0003222713.tif 000007
【図６】
0003222713.tif 000008
【図７】
0003222713.tif 000009
【図８】
0003222713.tif 000010